(57)【要約】      （修正有）【課題】多様な飲料容器を保持できるホルダーを提供する。【解決手段】飲料容器ホルダーＡは、飲料容器差込口３及び開閉可能な開口４ａが形成される飲料容器支持部４を有することを特徴とする。開閉可能は、全開と全閉の過程における途中での開口状態でもよく、適宜選択出来るため、多種類の飲料容器を支持出来る。【選択図】図１
2019198527.tif 000002
【特許請求の範囲】
【請求項１】
飲料容器を保持する空間を形成する飲料容器保持部と、前記飲料容器保持部に連結された首かけ部とを備え、前記飲料容器保持部は、一端側に飲料容器差込口及び他端側に開閉可能な開口が形成される飲料容器支持部を有することを特徴とする飲料容器ホルダー。
【請求項２】
前記首かけ部は、長さが調整可能であることを特徴とする請求項１に記載の飲料容器ホルダー。
【請求項３】
前記飲料容器保持部は、柔軟性を有していることを特徴とする請求項１または請求項２に記載の飲料容器ホルダー。
【請求項４】
飲料容器保持部は、柔軟性のある紐状の部材で形成されていることを特徴とする請求項１ないし請求項３のいずれか１項に記載の飲料容器ホルダー。
【請求項５】
前記飲料容器支持部の開口を開閉する操作部を有することを特徴とする請求項１ないし請求項４のいずれか１項に記載の飲料容器ホルダー。
【発明の詳細な説明】
【技術分野】
【０００１】
本発明は、飲料を飲料容器に注いだ状態で首からぶら下げて持ち運ぶのに好適な飲料容器に関する。
【背景技術】
【０００２】
立食パーティーやレジャーにおいて、飲料の入った飲料容器を首掛け型テーブルで首からぶら下げて持ち運べる飲料容器ホルダーが提供されている（特許文献１参照）。
【先行技術文献】
【特許文献】
【０００３】
【特許文献１】実開平０７−０４４４１７
【発明の概要】
【発明が解決しようとする課題】
【０００４】
上記の飲料容器ホルダーによれば、飲料の入った飲料容器を首からぶら下げて持ち運べるが、形状変化しないので決まったサイズの飲料容器だけしかホルダーに入れられないという問題がある。
【０００５】
本発明は、飲料容器の形状やサイズとは無関係に使いやすい、飲料容器を保持するホルダーである。本発明の目的は、多様な飲料容器を保持できる機構をしたホルダーを提供することにある。
【課題を解決するための手段】
【０００６】
１．本発明の飲料容器ホルダーは、飲料容器を保持する空間を形成する飲料容器保持部と、前記飲料容器保持部に連結された首かけ部とを備え、前記飲料容器保持部は、一端側に飲料容器差込口及び他端側に開閉可能な開口が形成される飲料容器支持部を有することを特徴とする。開閉可能は、全開と全閉の過程における途中での開口状態でもよく、適宜選択出来る。
２．前記首かけ部は、長さが調整可能であることを特徴とする１に記載の飲料容器ホルダー。
３．前記飲料容器保持部は、柔軟性を有していることを特徴とする１または２に記載の飲料容器ホルダー。
４．飲料容器保持部は、柔軟性のある紐状の部材で形成されていることを特徴とする１ないし３のいずれかに記載の飲料容器ホルダー。
５．前記飲料容器支持部の開口を開閉する操作部を有することを特徴とする１ないし４のいずれかに記載の飲料容器ホルダー。
【発明の効果】
【０００７】
本発明は、飲料容器の形状やサイズとは無関係に、多種類の飲料容器を許容して保持することが出来る。
【図面の簡単な説明】
【０００８】
【図１】本発明に係る飲料容器ホルダーの側面図である。
【図２】飲料容器ホルダーの飲料容器保持部の詳細構造を示す側面図である。
【図３】飲料容器差込口より飲料容器を飲料容器ホルダーへ挿入している状態を示す側面図である。
【図４】飲料容器の一例であるパイントグラスコニカルの図と、それを飲料容器ホルダーで支持している状態の図である。
【図５】飲料容器の一例であるパイントグラスノニックの図と、それを飲料容器ホルダーで支持している状態の図である。
【図６】飲料容器の一例であるピルスナーグラスの図と、それを飲料容器ホルダーで支持している状態の図である。
【図７】飲料容器の一例であるヴァイツェングラスの図と、それを飲料容器ホルダーで支持している状態の図である。
【図８】（ａ）は、飲料容器の一例であるチューリップ型グラスの図と、それを飲料容器ホルダーで支持している状態の図であり、（ｂ）は、グラスのプレートを開口に通過させるための模式的な説明図である。
【図９】飲料容器の一例である聖杯型グラスの図と、それを飲料容器ホルダーで支持している状態の図である。
【図１０】飲料容器の一例であるスニフタ―の図と、それを飲料容器ホルダーで支持している状態の図である。
【図１１】飲料容器の一例であるビアグラス中ジョッキの図と、それを飲料容器ホルダーで支持している状態の図である。
【図１２】飲料容器の一例であるビアグラス小を、飲料容器ホルダーで支持している状態の図である。
【図１３】飲料容器の一例であるワイングラス小を、飲料容器ホルダーで支持している状態の図である。
【図１４】飲料容器ホルダーを首から下げ、パイントグラスノニックを挿入した状態の図である。
【図１５】飲料容器ホルダーを首から下げ、パイントグラスノニックを挿入して飲料を飲んでいる状態の図である。
【発明を実施するための形態】
【０００９】
図１または図２は、本発明に係る飲料容器ホルダーＡの側面図である。飲料容器ホルダーＡは、飲料容器保持部５と飲料容器保持部５に連結された首かけ部１とを備えている。飲料容器ホルダーＡは、複数（例えば４本）の紐状の部材を４束編んで構成され柔軟性を有している。
【００１０】
飲料容器保持部５は、飲料容器を保持するための網状の空間を形成することが可能で、一端側（上端側）に飲料容器差込口３を有し、他端側（下端側）に飲料容器支持部４を有している。
【００１１】
飲料容器差込口３は、図３に示すように、紐状の部材を開いて飲料容器を差し込む部分である。飲料容器支持部４は、飲料容器の底部側を支持する部分であり、開閉可能な開口４ａが形成される。この開口４ａは、紐状の部材で形成される。
【００１２】
具体的には、開口４ａは飲料容器支持部の最下端の輪４ｃの間を通してリング状に形成される。開口４ａにおける径の寸法の調節は、操作部としてのビーズ４ｂをスライドして開閉方向に操作することにより全開から全閉の任意の径に調節する。ビーズ４ｂは、球状の形であり中心部に貫通孔を有しておりこの貫通孔に開口４ａを形成する紐状の部材が挿入される。
【００１３】
首かけ部１は、首挿入部１ｂと、首保持部１ａと、装飾部２とを備えている。
【００１４】
首挿入部１ｂは、紐状の部材を左右に開き飲料容器ホルダーＡを首からぶら下げられる部分である。首保持部１ａは、結び目Ｍ１の位置を変えることで飲料容器ホルダーＡの長さを変更可能で飲料容器の高さが調節できる。装飾部２は、飲料容器保持部５と首挿入部１ｂとの間に介在して、首かけ部１と飲料容器保持部５を連結する。装飾部２は、アクセサリーや独自の編み方を施して装飾効果を発揮する部分である。
【００１５】
図３は、飲料容器差込口３より飲料容器Ｃを飲料容器ホルダーＡへ挿入している側面図である。飲料容器ホルダーＡ上部は、紐状の部材の結び目Ｍ１から結び目Ｍ２の間が首保持部１ａから飲料容器差込口３までと長くなっているため、飲料容器Ｃを挿入するための空隙を充分に設けることが可能である。図４ないし図１３のどの飲料容器でも挿入することができる。
【００１６】
図４は、飲料容器の一例であるパイントグラスコニカル６の図と、それを飲料容器ホルダーＡで支持している状態の図である。飲料容器支持部４は、図のようにビーズ４ｂを用いて開口４ａの径を調整することで飲料容器の底部６ａを支持する。
具体的には、飲料容器の底部６ａの径よりも開口４ａの径（大きさ）のほうが小さいので、ビーズ４ｂを調整し開口４ａの径を小さくする事なく、最下端の輪４ｃで飲料容器を支持することが可能である。なお、ビーズ４ｂを調整し開口４ａの径を小さくして最下端の輪４ｃで飲料容器を支持しても良い。
【００１７】
図５は、飲料容器の一例であるパイントグラスノニック７の図と、それを飲料容器ホルダーＡで支持している状態の図である。飲料容器支持部４は、図のようにビーズ４ｂを用いて開口４ａの径を調整することで飲料容器の底部７ａを支持する。
具体的には、飲料容器の底部７ａの径よりも開口４ａの径のほうが小さいので、ビーズ４ｂを調整し開口４ａの径を小さくする事なく、最下端の輪４ｃで飲料容器を支持することが可能である。なお、ビーズ４ｂを調整し開口４ａの径を小さくして最下端の輪４ｃで飲料容器を支持しても良い。
また、開口４ａの径を作り変えて、パイントグラスノニック７の底部７ａの径よりも少し大きく且つノニック突起部７ｂの径よりも小さくすることで、ノニック突起部７ｂの下部の位置で支持することが出来る。
【００１８】
図６は、飲料容器の一例であるピルスナーグラス８の図と、それを飲料容器ホルダーＡで支持している状態の図である。飲料容器支持部４は、図のようにビーズ４ｂを用いて開口４ａの径を調整することで飲料容器の底部８ａを支持する。
具体的には、飲料容器の底部８ａの径よりも開口４ａの径のほうが小さいので、ビーズ４ｂを調整し開口４ａの径を小さくする事なく、最下端の輪４ｃで飲料容器を支持することが可能である。なお、ビーズ４ｂを調整し開口４ａの径を小さくして最下端の輪４ｃで飲料容器を支持しても良い。
また、開口４ａの径を作り変えて、ピルスナーグラス８の底部８ａの径よりも少し大きく且つピルスナー大口径部８ｃの径よりも小さくすることで、ピルスナー中口径部８ｂの位置で支持することが出来る。
【００１９】
図７は、飲料容器の一例であるヴァイツェングラス９の図と、それを飲料容器ホルダーＡで支持している状態の図である。飲料容器支持部４は、図のようにビーズ４ｂを用いて開口４ａの径を調整することで飲料容器の底部９ａを支持する。
具体的には、飲料容器の底部９ａの径よりも開口４ａの径のほうが小さいので、ビーズ４ｂを調整し開口４ａの径を小さくする事なく、最下端の輪４ｃで飲料容器を支持することが可能である。なお、ビーズ４ｂを調整し開口４ａの径を小さくして最下端の輪４ｃで飲料容器を支持しても良い。
また、開口４ａの径を作り変えて、ヴァイツェングラス９の底部９ａの径よりも少し大きく且つヴァイツェン上方膨らみ最大部９ｃの径よりも小さくすることで、ヴァイツェン上方膨らみ下部９ｂの位置で支持することが出来る。
【００２０】
図８（ａ）は、飲料容器の一例であるチューリップ型グラス１０の図と、それを飲料容器ホルダーＡで支持している状態の図である。飲料容器支持部４は、図のようにビーズ４ｂを用いて開口４ａの径を調整することで飲料容器のボウル底部１０ａを支持する。
具体的には、まず開口４ａを開いてプレート１０ｄを開口４ａの下へ露出させる。飲料容器のプレートの直径ｒよりも、開口４ａを扁平にした場合の最大径を大きく出来るので、これが可能となっている。これを図８（ｂ）を参照して詳細に説明すると、開口４ａは、円形の状態では直径がプレート１０ｄの直径ｒよりも小さい（ｒ−α）ため、プレート１０ｄが挿入できない。しかしながら、紐状の開口４ａを変形させて扁平状にすると、内空間の幅が広くなる（ｒ＋β）ので、平らに近い状態でこの幅より小さな物は開口４ａを通過させることが可能になる。
次に、プレート１０ｄに続けてステム１０ｅも下へ露出させる。そして開口４ａを閉口させて、ボウル底部１０ａで飲料容器を支持する。
また、開口４ａの径を作り変えて、更に大きくするがチューリップ型ボウル膨らみ最大部１０ｇの径よりも小さくすることで、チューリップ型ボウル大中径部１０ｃの位置で支持することも可能である。
さらに開口４ａを始めから閉口したままにしておくことで、プレート底部１０ｂで支持し、チューリップ型グラス１０を飲料容器ホルダーＡの内空間の中ですっぽりと保持することも可能となる。
図９の聖杯型グラス１１と図１０のスニフタ―１２も、図８と同じ要領で支持するので詳細な説明は省略する。
【００２１】
図１１は、飲料容器の一例であるビアグラス中ジョッキ１３の図と、それを飲料容器ホルダーＡで支持している状態の図である。飲料容器支持部４は、図のようにビーズ４ｂを用いて開口４ａの径を調整することで飲料容器の底部１３ａを支持する。
具体的には、飲料容器の底部１３ａの径よりも開口４ａの径のほうが小さいので、ビーズ４ｂを調整し開口４ａの径を小さくする事なく、最下端の輪４ｃで飲料容器を支持することが可能である。なお、ビーズ４ｂを調整し開口４ａの径を小さくして最下端の輪４ｃで飲料容器を支持しても良い。
【００２２】
図１２は、飲料容器の一例であるビアグラス小１４を飲料容器ホルダーＡで支持している状態の図である。飲料容器支持部４は、図のようにビーズ４ｂを用いて開口４ａを閉じる（数ミリの小径から全閉の状態を指す）ことで飲料容器の底部１４ａを支持する。また、この飲料容器の外径は、開口４ａを開口させた時の径よりも小さいために支持が困難になるので、基本的には開口４ａを閉じて常用する。
【００２３】
図１３は、飲料容器の一例であるワイングラス小１５を飲料容器ホルダーＡで支持している状態の図である。飲料容器支持部４は、図のようにビーズ４ｂを用いて開口４ａを閉じることで飲料容器のプレート底部１５ａを支持する。また、この飲料容器の外径は、開口４ａを開口させた時の径よりも小さいために支持が困難になるので、基本的には開口を閉じて常用する。
【００２４】
図１４は、飲料容器の一例であるパイントグラスノニック７を飲料容器ホルダーＡで支持し、首にかけている状態の図である。まず首挿入部１ｂの紐４束を、左右２束ずつ分けて開き、そこに首を通して飲料容器ホルダーＡを首にかける。次に、飲料容器差込口３を開く。飲料容器差込口３は、飲料容器保持部５の上部の任意の場所であり、左右前後どの位置でも紐の隙間を開いて飲料容器を差し込む口を形成するものである。そして飲料容器を飲料容器差込口３から挿入し、飲料容器保持部５で飲料容器を保持する。
飲料容器保持部５は、飲料容器の自重によって紐が伸長して紐に縦方向の張力が働き、飲料容器保持部５の内空間の径が狭まるから、飲料容器ホルダーＡが飲料容器に密着して緊密に保持することが出来、上下に長い飲料容器を入れて揺らした場合でも外に傾いて飛び出にくい。前かがみの姿勢になっても、飲料容器の姿勢が直立に近い状態で安定保持することが出来るので、飲料容器内の飲料がこぼれにくい機構になっている。
図では、飲料容器ホルダーＡは紐４束を左右２束ずつ分けて開き、そこに首を通して飲料容器ホルダーＡを首にかけている。ただし、首挿入部１ｂの紐の束の分け方は、１束と３束でもよい。また、編む時点で束の総数を６束や７束などいくつにしても良い。
【００２５】
図１５は、飲料容器ホルダーＡにパイントグラスノニック７を挿入して飲料を飲んでいる状態の図である。飲料容器を飲料容器保持部５ごと手で持ち上げ口に近づけると、飲料容器差込口３が緩んで開くため、飲料容器の上部が飲料容器差込口３から露出して飲みやすくなる。
【００２６】
本実施形態によれば、下記の効果が期待できる。
バイキング形式やバーベキューの飲食の際に、飲料容器を首にかけて保持することが出来るので、両手を自由に使って料理を食することが可能となる。
花見など野外で地面にシートを敷き飲食する際に、地面がガタガタで飲料容器が傾き飲料がこぼれそうな場所でも、飲料容器を地面に置かず首にぶらさげるので、飲料がこぼれる心配が無い。
音楽ライブで飲料を持っている時でも、それを飲料容器ホルダーにぶら下げることで両手が空くので、拍手や両手でのジェスチャー（メロイックサインや）をすることが出来る。
テーブルに複数人の飲料容器を置いておくと、どの飲料が誰のものかわからなくなることがあるが、この飲料容器ホルダーを用いれば明確にわかる。
急にアイデアを思いついても、両手が空いているため、ノートとペンですぐにメモが取れる。
紐状の部材を編んだもので構成しているので、保持している飲料容器やその飲料を視認出来るため、飲料の残量や飲料の種類、飲料容器の種類がわかる。
この飲料容器ホルダーＡは、ビーズ４ｂを用いて開口４ａの径を調整できるため、多種多様な飲料容器を支持できる。
【符号の説明】
【００２７】
Ａ  飲料容器ホルダー
１  首かけ部
１ａ  首保持部
１ｂ  首挿入部
Ｍ１  結び目
Ｍ２  結び目
２  装飾部
３  飲料容器差込口
４  飲料容器支持部
４ａ  開口
４ｂ  操作部としてのビーズ
４ｃ  飲料容器支持部の最下端の輪
５  飲料容器保持部
Ｃ  飲料容器
６  パイントグラスコニカル
６ａ  底部
７  パイントグラスノニック
７ａ  底部
７ｂ  ノニック突起部
８  ピルスナーグラス
８ａ  底部
８ｂ  ピルスナー中口径部
８ｃ  ピルスナー大口径部
９  ヴァイツェングラス
９ａ  底部
９ｂ  ヴァイツェン上方膨らみ下部
９ｃ  ヴァイツェン上方膨らみ最大部
１０  チューリップ型グラス
１０ａ  ボウル底部
１０ｂ  プレート底部
１０ｃ  チューリップ型ボウル大中径部
１０ｄ  プレート
１０ｅ  ステム
１０ｆ  ボウル
１０ｇ  チューリップ型ボウル膨らみ最大部
ｒ    プレートの直径
１１  聖杯型グラス
１２  スニフタ―
１３  ビアグラス中ジョッキ
１３ａ  底部
１４  ビアグラス小
１４ａ  底部
１５  ワイングラス小
１５ａ  プレート底部
【図１】
2019198527.tif 000003
【図２】
2019198527.tif 000004
【図３】
2019198527.tif 000005
【図４】
2019198527.tif 000006
【図５】
2019198527.tif 000007
【図６】
2019198527.tif 000008
【図７】
2019198527.tif 000009
【図８】
2019198527.tif 000010
【図９】
2019198527.tif 000011
【図１０】
2019198527.tif 000012
【図１１】
2019198527.tif 000013
【図１２】
2019198527.tif 000014
【図１３】
2019198527.tif 000015
【図１４】
2019198527.tif 000016
【図１５】
2019198527.tif 000017